(57)【要約】      （修正有）【課題】点光源を配列した屋外用照明装置を低コストで提供する。【解決手段】屋外用照明１は、ＬＥＤが配列された電気基板と、電気基板を収容する基板収容空間と、該基板収容空間に隔壁１４を介して連設された防水空間と、隔壁１４に設けられた隔壁孔とを有するフレーム１０と、該フレーム１０に装着される透光板６０と、フレーム１０の端部に装着されるキャップ７０Ａと、外部孔を挿通して外部空間に導かれるケーブルとを備え、基板収容空間が、透光板６０及びキャップ７０Ａにより外部空間と仕切られて形成される基板収容部屋８２と、防水空間が、キャップ７０Ａにより外部空間との間を仕切られて形成される防水部屋８１と、該防水部屋８１及び基板収容部屋８２から水を流出させる水抜き孔９１，９２とを備える。【選択図】図４
0003162304.tif 000002
【実用新案登録請求の範囲】
【請求項１】
発光ダイオード等の点光源が配列方向に配列された電気基板と、
前記配列方向の長さが前記電気基板に対応した長さであり、一体的に形成され、前記電気基板を収容する基板収容空間と、前記基板収容空間に隔壁を介して連設された防水空間と、前記隔壁に設けられた隔壁孔とを有するケース部と、
透光性を有し、前記基板収容空間の照光方向の開口部を塞ぐように前記ケース部に装着される透光部と、
前記ケース部の前記配列方向の端部に装着されるキャップ部と、
前記電気基板に電気的に接続され、前記基板収容空間から前記隔壁孔を挿通して前記防水空間に導かれ、前記防水空間から前記ケース部及び前記キャップ部のうち少なくとも１つに外部孔が設けられた状態で、外部空間に導かれるように挿通可能な電気配線部とを備え、
前記基板収容空間が、前記透光部及び前記キャップ部により外部空間との間を仕切られることにより形成される基板収容部屋と、
前記防水空間が、前記キャップ部により外部空間との間を仕切られることにより形成される防水部屋と、
前記基板収容部屋及び前記防水部屋から水を流出させる水抜き孔と、
を備える屋外用照明装置。
【請求項２】
請求項１に記載の屋外用照明装置において、
前記キャップ部は、溝部を有し、
前記水抜き孔は、前記キャップ部と、前記ケース部及び前記透光部のうち少なくとも１つとの間に、前記溝部によって隙間が設けられることにより形成されること、
を特徴とする屋外用照明装置。
【請求項３】
請求項１又は請求項２に記載の屋外用照明装置において、
前記ケース部は、押し出し成形により形成され、
前記キャップ部は、射出成型により形成されること、
を特徴とする屋外用照明装置。
【請求項４】
請求項１から請求項３までのいずれか１項に記載の屋外用照明装置において、
自立式屋外看板等の屋外構造物に装着するブラケットを備えること、
を特徴とする屋外用照明装置。
【考案の詳細な説明】
【技術分野】
【０００１】
本考案は、点光源を配列した屋外用照明装置に関するものである。
【背景技術】
【０００２】
従来、屋外に設置するＬＥＤ照明があった（例えば特許文献１）。
しかし、ＬＥＤ照明灯は、屋外に設置するために、詰め物を充填する等の特殊な処理をして防雨仕様にする必要があり、高コストであった。
【先行技術文献】
【特許文献】
【０００３】
【特許文献１】特開２００７−２５０５１３号公報
【考案の概要】
【考案が解決しようとする課題】
【０００４】
本考案の課題は、点光源を配列した屋外用照明装置を低コストで提供することである。
【課題を解決するための手段】
【０００５】
本考案は、以下のような解決手段により、課題を解決する。なお、理解を容易にするために、本考案の実施形態に対応する符号を付して説明するが、これに限定されるものではない。また、符号を付して説明した構成は、適宜改良してもよく、また、少なくとも一部を他の構成物に代替してもよい。
【０００６】
第１の考案は、発光ダイオード等の点光源（２１）が配列方向（Ｙ）に配列された電気基板（２０，２２０）と、前記配列方向の長さが前記電気基板に対応した長さであり、一体的に形成され、前記電気基板を収容する基板収容空間（１２，２１２）と、前記基板収容空間に隔壁（１４，２１４Ａ，２１４Ｂ）を介して連設された防水空間（１１，２１１Ａ，２１１Ｂ）と、前記隔壁に設けられた隔壁孔（１４ａ，２１４ａ）とを有するケース部（１０，２１０）と、透光性を有し、前記基板収容空間の照光方向の開口部を塞ぐように前記ケース部に装着される透光部（６０，２６０）と、前記ケース部の前記配列方向の端部に装着されるキャップ部（７０Ａ，７０Ｂ，２７０Ａ，２７０Ｂ）と、前記電気基板に電気的に接続され、前記基板収容空間から前記隔壁孔を挿通して前記防水空間に導かれ、前記防水空間から前記ケース部及び前記キャップ部のうち少なくとも１つに外部孔（７４ａ，２１８）が設けられた状態で、外部空間に導かれるように挿通可能な電気配線部（３０，２３０）とを備え、前記基板収容空間が、前記透光部及び前記キャップ部により外部空間との間を仕切られることにより形成される基板収容部屋（８２，２８２）と、前記防水空間が、前記キャップ部により外部空間との間を仕切られることにより形成される防水部屋（８１，２８１Ａ，２８１Ｂ）と、前記基板収容部屋及び前記防水部屋から水を流出させる水抜き孔（９１，９２，２９１，２９２）と、を備える屋外用照明装置である。
第２の考案は、第１の考案の屋外用照明装置において、前記キャップ部（７０Ａ，７０Ｂ，２７０Ａ，２７０Ｂ）は、溝部（７３ａ，７３ｂ，２７３ａ，２７３ｂ）を有し、前記水抜き孔（９１，９２，２９１，２９２）は、前記キャップ部と、前記ケース部（１０，２１０）及び前記透光部（６０，２６０）のうち少なくとも１つとの間に、前記溝部によって隙間が設けられることにより形成されること、を特徴とする屋外用照明装置である。
第３の考案は、第１又は第２の考案の屋外用照明装置において、前記ケース部（６０，２６０）は、押し出し成形により形成され、前記キャップ部（７０Ａ，７０Ｂ，２７０Ａ，２７０Ｂ）は、射出成型により形成されること、を特徴とする屋外用照明装置である。
第４の考案は、第１から第３までのいずれかの考案の屋外用照明装置において、自立式屋外看板等の屋外構造物（２，２０２）に装着するブラケット（５０，２５０）を備えること、を特徴とする屋外用照明装置である。
【考案の効果】
【０００７】
本考案によれば、以下の効果を奏することができる。
（１）本考案は、外部孔から雨等の水が浸入しても、防水部屋の水抜き孔から外部に逃がすことができる。また、防水部屋から隔壁孔を通って防水部屋に浸入しても、同様に水抜き孔から外部に逃がすことができる。さらに、簡単に組み立てられるので製造工程を削減でき、低コストである。さらにまた、部品点数を削減でき、かつ封止等の特別な防水加工が必要ないので、部品コストを削減できるため、この点からも低コストである。
（２）本考案は、キャップ部及びケース部の間に隙間を設けて水抜き孔を形成するので、例えば、ケース部を射出成型等によって製造して溝部を設けることにより、穴あけ加工等の加工を有することなく、低コストで製造できる。
【０００８】
（３）本考案は、ケース部が押し出し成形により形成され、キャップ部が射出成型により形成されるので、低コストで製造できる。また２つの空間を有するので、成形時のそりにともなう変形を抑制できる。
（４）本考案は、ブラケットを備えるので、簡単に屋外看板に装着できる。
【図面の簡単な説明】
【０００９】
【図１】第１実施形態の照明装置１を下側Ｚ１から見上げた斜視図である。
【図２】第１実施形態の照明装置１の下面図である。
【図３】第１実施形態の照明装置１の断面図である。
【図４】第１実施形態の照明装置１の断面図、キャップ７０Ａの部品図である。
【図５】第２実施形態の照明装置２０１の下面図である。
【図６】第２実施形態の照明装置２０１の断面図である。
【図７】第２実施形態の照明装置２０１の断面図、キャップの部品図である。
【考案を実施するための形態】
【００１０】
（第１実施形態）
以下、図面等を参照して、本考案の第１実施形態について説明する。
図１は、第１実施形態の照明装置１を下側Ｚ１から見上げた斜視図である。
図２は、第１実施形態の照明装置１の下面図である。
図３は、第１実施形態の照明装置１の断面図（図２のIII−III部矢視断面図）である。
図４は、第１実施形態の照明装置１の断面図、キャップ７０Ａの部品図である。
図４（ａ）は、図２のＡ−Ａ部矢視断面図である。なお、簡略して示すため、電気基板２０等は、図示を省略した。
図４（ｂ）は、キャップ７０Ａの図２に示すＢ部矢視図である。
図４（ｃ）は、図４（ａ）のＣ−Ｃ部矢視断面図である。
図４（ｄ）は、図４（ａ）のＤ−Ｄ部矢視断面図である。
なお、以下の説明及び図面において、図１に示すように、照明装置１の照光方向Ｌを下側Ｚ１に向け、かつ、長手方向から見た状態での照明装置１の左右方向（短手方向）をＸ、長手方向を奥行方向Ｙ（配列方向）、鉛直方向をＺとして説明する。
【００１１】
図１に示すように、照明装置１は、支柱２ａが地面に対して固定された自立式の屋外看板２等の屋外構造物に装着するものである。
図２、図３に示すように、照明装置１は、フレーム１０（ケース部）と、電気基板２０と、ケーブル３０（電気配線部）と、グロメット４１，４２と、ブラケット５０と、透光板６０と、キャップ７０Ａ，７０Ｂとを備えている。
【００１２】
フレーム１０は、照明装置１の筐体であり、奥行方向Ｙの端部が開口した筒体である。フレーム１０は、例えばアルミニウムを押し出し成形して一体的に形成でき、低コストで製造できる。フレーム１０の奥行方向Ｙの長さは、電気基板２０に対応した長さである。
フレーム１０は、防水空間１１と、基板収容空間１２と、隔壁１４と、基板装着溝１５とを有する。
防水空間１１は、フレーム１０内部の左側Ｘ１に配置された空間である。
基板収容空間１２は、電気基板２０を収容する空間であり、フレーム１０内部の右側Ｘ２に配置されている。基板収容空間１２は、隔壁１４を介して防水空間１１の右側Ｘ２に連設されている。
【００１３】
隔壁１４は、基板収容空間１２及び防水空間１１を仕切る壁である。隔壁１４は、基板収容空間１２及び防水空間１１を連通する隔壁孔１４ａを有する。隔壁孔１４ａには、ケーブル３０が挿通される。隔壁１４は、ＬＥＤ（発光ダイオード）２１の光線のうち屋外看板２が配置されている方向（左下）に進む光線を遮らないように、傾斜面を有するように形成されている。
フレーム１０は、隔壁１４で仕切られた２つの空間を設けることにより、強度（剛性）を向上でき、成形時のそり（収縮にともなう変形）を抑制できる。
【００１４】
基板装着溝１５は、電気基板２０を装着する１対の溝である。基板装着溝１５は、隔壁孔１４ａよりも上側Ｚ２に配置され、隔壁孔１４ａよりも上側Ｚ２に電気基板２０を装着できるようになっている。
【００１５】
なお、照明装置１は、後述するように奥行方向Ｙの開口部をキャップ７０Ａ，７０Ｂで蓋をするような構成である。このため、屋外看板２のサイズ、つまり電気基板２０のサイズに合わせて、奥行方向Ｙの長さを調整する場合には、フレーム１０を切断すれば、容易に対応できる。
【００１６】
電気基板２０は、ＬＥＤ２１（点光源）、電気部品等を実装するプリント配線基板である。電気基板２０は、ＬＥＤ２１が奥行方向Ｙに１列に複数配列されている。電気基板２０は、基板装着板２２にねじ止めにより固定されている。この基板装着板２２がフレーム１０の基板装着溝１５に挿入されることにより、電気基板２０がフレーム１０に装着される。電気基板２０は、ＬＥＤ２１の実装面が下側Ｚ１、つまり照光方向になるように、基板収容空間１２に配置される。なお、電気基板２０は、キャップ７０Ａ，７０Ｂに当接することによって、奥行方向Ｙの位置が規制される。
【００１７】
ケーブル３０は、電気基板２０に電気的に接続された電気配線であり、例えばＡＣケーブル３０等である。ケーブル３０は、ＡＣコンセント等から供給される電力を、電気基板２０を介してＬＥＤ２１に供給する。ケーブル３０は、絶縁体により被覆されているので、水滴等が付着しても、内部の導線には、水滴等が到達しない。ケーブル３０は、基板収容空間１２から隔壁孔１４ａを挿通して防水空間１１に導かれ、基板収容空間１２からキャップ７０Ａ，７０Ｂの外部孔７４ａ（後述する）を挿通して外部空間に導かれるように配設される。
【００１８】
グロメット４１，４２は、フレーム１０の隔壁孔１４ａと、キャップ７０Ｂ（又はキャップ７０Ａ）の外部孔７４ａとにそれぞれ設けられている。グロメット４１，４２は、隔壁孔１４ａ及び外部孔７４ａの縁部に形成されたバリ等によって、ケーブル３０が損傷しないように、ケーブル３０を保護する。グロメット４１，４２は、防水効果を向上できるように、膜付きのものを用いてもよい。
なお、グロメット４１の代わりに、管状のホールプラグを外部孔７４ａに装着してもよい。この場合には、照明装置１内部に浸入する雨水を少なくできるので、より防水効果を向上できる。
【００１９】
ブラケット５０は、照明装置１を屋外看板２に装着するための部材である。ブラケット５０は、ねじ５３により接合されたブラケット部材５１，５２により構成される。
ブラケット部材５１は、断面形状がコの字状である。ブラケット部材５１は、照明装置１の左側Ｘ１面に設けられた溝に入り込んだ状態で、ねじ５４によってフレーム１０に装着される。これにより、ブラケット５０がフレーム１０に固定される。
ブラケット部材５２は、断面形状がコの字状である。ブラケット部材５１は、屋外看板２の支柱２ａに覆いかぶせるように配置された状態で、ねじ５５によって支柱２ａにねじ止めされ、照明装置１を屋外看板２に装着する。
【００２０】
透光板６０は、電気基板２０の下側Ｚ１に配置されている。透光板６０は、基板収容空間１２の下側Ｚ１を、外部空間との間で仕切ることにより基板収容部屋８２を形成し、電気基板２０を保護している。透光板６０の表面には、ＬＥＤ２１の光線を拡散するために、必要に応じて梨地を設けてもよい。透光板６０は、電気基板２０と同様に、キャップ７０Ａ，７０Ｂによって奥行方向Ｙの移動が制限され、奥行方向Ｙの位置が規制される。ＬＥＤ２１が照射した光線は、透光板６０を透過してパネル２ｂ（図１参照）を照光する。
【００２１】
キャップ７０Ａ，７０Ｂは、フレーム１０の奥行方向Ｙの両端部に、それぞれ装着される。キャップ７０Ａ，７０Ｂのフレーム１０への取り付けは、例えば、ねじ止め、圧入等の手法を用いることができる。
図４に示すように、キャップ７０Ａ，７０Ｂは、奥行方向Ｙにおいて、フレーム１０の防水空間１１及び外部空間を仕切ることにより防水部屋８１を形成し、また、基板収容空間１２及び外部空間を仕切ることにより基板収容部屋８２を形成する。
【００２２】
なお、キャップ７０Ａ，７０Ｂは、対称形状であるので、以下キャップ７０Ａについて説明し、キャップ７０Ｂについては、説明を適宜省略する。
キャップ７０Ａは、ほぼ板状の部材であり、例えば樹脂を射出成型して形成される。キャップ７０Ａは、奥行方向外側（奥側Ｙ２）の面が平面である。キャップ７０Ａは、当接面７１と、溝部７０ａ，７０ｂ，７０ｃと、内側面７２と、ノックアウト部７４と、通気孔７５とを有する。
当接面７１は、フレーム１０及び透光板６０の奥行方向Ｙの端部と当接する平面である。当接面７１は、奥行方向Ｙから見たときに、フレーム１０及び透光板６０の端部形状に対応した形状に形成される（図４（ａ）、図４（ｂ）参照）。
【００２３】
内側面７２は、当接面７１よりも高い面を有する部分である。内側面７２は、防水部屋８１及び基板収容部屋８２の内壁を形成する。内側面７２は、フレーム１０の防水空間１１及び基板収容空間１２に入り込むように配置され、後述するように、防水性を向上している。
【００２４】
溝部７０ａ，７０ｂ，７０ｃは、当接面７１及び内側面７２を窪ませて形成した溝である（図４（ｄ）参照）。溝部７０ａ，７０ｂ，７０ｃは、底部が、当接面７１よりも低くなるように形成されている。
溝部７０ａは、キャップ７０Ａとフレーム１０との間に、防水部屋８１及び外側空間に連通する隙間（図２参照）を設ける。この隙間が、水抜き孔９１を形成する。溝部７０ａは、水抜き孔９１が防水部屋８１の左下に位置するように配置されている。
一方、溝部７０ｂは、防水部屋８１の下側Ｚ１にキャップ７０Ａと、フレーム１０及び透光板６０との間に、隙間を設け、この隙間（図２参照）が、水抜き孔９２を形成する。溝部７０ｂは、水抜き孔９２が防水部屋８１の右下に位置するように配置されている。
また、溝部７０ｃは、奥行方向Ｙから見たときに、フレーム１０の隔壁１４をまたぐように配置されている（図４（ｄ）参照）。このため、溝部７０ｃは、防水部屋８１及び基板収容部屋８２を連通する連通孔９３を形成する。
【００２５】
ノックアウト部７４は、押圧されることにより、キャップ７０Ａに簡単に外部孔７４ａを設けるための部分である（図１、図２参照）。なお、本実施形態では、外部孔７４ａは、キャップ７０Ｂのみに設けて、配線部材を挿通している（図１参照）。
通気孔７５は、電気基板２０の発熱する熱を放熱したり、照明装置１に湿気がこもるのを防止するための貫通孔である。また、通気孔７５は、虫、雨等が浸入しないように、通気性を有するシート（図示せず）によって覆われる。
【００２６】
照明装置１の製造方法（組み立て方法）について説明する。
照明装置１は、作業者が以下の工程に従って製造できる。
（１）電気基板２０及び基板装着板２２を、ねじ２３で固定する（図２参照）。
（２）電気基板２０及び基板装着板２２を、フレーム１０の基板装着溝１５に挿入し、奥行方向Ｙにスライドすることにより、電気基板２０をフレーム１０に装着する（図３参照）。
（３）キャップ７０Ａ，７０Ｂのうち一方のノックアウト部７４を押圧して、外部孔７４ａを設ける（図１、図４参照）。キャップ７０Ａ，７０Ｂのどちらに外部孔７４ａを設けるかは、ＡＣコンセント等の電源供給部の配置に応じて選択すればよい。このため、照明装置１は、外部孔７４ａを設けない状態で出荷し、設置場所の電源供給部の配置に応じてケーブル３０を配線できる。
【００２７】
（４）グロメット４１，４２を隔壁孔１４ａと、外部孔７４ａに装着する（図２参照）。
（５）ケーブル３０をグロメット４１に通し、さらにグロメット４２に挿通する（図２参照）。なお、グロメット４１，４２に膜付きのものを利用するときは、このときに、必要な部分だけ膜を破る。
（６）ケーブル３０の照明装置１側の先端を、電気基板２０に装着する（図２参照）。この装着は、例えば、コネクタ、半田付け等を利用できる。
【００２８】
（７）透光板６０をフレーム１０の透光板６０装着溝１８に挿入し、奥行方向Ｙにスライドして、フレーム１０に装着する（図３参照）。これにより、基板収容部屋８２は、下側Ｚ１が外部空間と仕切られる。
（８）キャップ７０Ａ，７０Ｂを、フレーム１０に装着する（図２参照）。これにより、防水部屋８１及び基板収容部屋８２は、奥行方向Ｙが外部空間と仕切られる。
キャップ７０Ａ，７０Ｂをフレーム１０に装着すると、水抜き孔９１，９２、連通孔９３が形成される（図２、図４（ｄ）参照）。
（９）ブラケット５０をフレーム１０にねじ５４によって装着する（図３参照）。
【００２９】
このように、照明装置１は、特殊な工具等を必要とすることなく簡単に組み立てられるので、製造工程を削減できるため、低コストできる。
【００３０】
さらに、照明装置１を屋外看板２に装着する場合は、図１、図３に示すように、屋外看板２の支柱２ａにブラケット部材５２を覆いかぶせるようにして、ブラケット部材５２及び支柱２ａをねじ５５によってねじ止めすれば、簡単に装着できる。また、照明装置１は、支柱２ａに装着する構造であるので、安定した取り付け構造にできる。
つまり、これとは異なり、屋外看板２のパネル２ｂに照明装置１を装着する場合には、パネル２ｂは、照明装置１等の構造物を装着できる程の強度を備えておらず、またねじ止めするには（特にタッピングねじを用いる場合）、板厚が薄いため適していない。
これに対して、本実施形態では、強度が十分な支柱２ａに照明装置を装着し、また支柱２ａの板厚も十分であるので、安定した取り付け構造にできる。
【００３１】
次に、照明装置１の防水機能について説明する。
照明装置１の防水機能は、主に降雨に対応したものである。
図３に示すように、照明装置１の上側Ｚ２は、一体的に形成されたフレーム１０の天面によって構成されているので、雨水が防水部屋８１及び基板収容部屋８２に飛び込むことはない。なお、照明装置１は、天面に降り注いだ雨水の多くを、フレーム１０の軒部１７から地面に向けて落下できるので、照明装置１の側面に雨染みが付くことを防止できる。
また、照明装置１の奥行方向Ｙの側面は、キャップ７０Ａ，７０Ｂの内側面７２が、フレーム１０の防水空間１１及び基板収容空間１２に入り込んでいるので、雨水がキャップ７０Ａ，７０Ｂ及びフレーム１０の隙間から浸入することはない。
さらに、照明装置１の下側Ｚ１は、透光板６０が配置されているので、仮に雨水が吹き上げても、基板収容部屋８２に浸入することはない。
従って、雨水の浸入経路は、主に、グロメット４１及びケーブル３０の隙間４３（図２参照）である。
【００３２】
グロメット４１及びケーブル３０の隙間４３から雨水が浸入した場合について説明する。
隙間４３から防水部屋８１に直接飛び込んできた雨水は、図３に示すように、防水部屋８１の床面８１ａ（フレーム１０の内側底面）に落下して、床面８１ａに溜まろうとする。しかし、防水部屋８１には、図４に示すように、水抜き孔９１が設けられているので、この雨水は、水抜き孔９１から下側Ｚ１に流れ落ち、結局、外側空間に排出される。
【００３３】
一方、外部空間からケーブル３０を伝わり防水部屋８１に浸入した雨水は、一部がケーブル３０から防水部屋８１の床面８１ａに落下し、その他がさらにケーブル３０を伝わってグロメット４２から基板収容部屋８２に浸入する。
防水部屋８１の床面８１ａに落下した雨水は、上記直接飛び込んできた雨水と同様に、防水部屋８１の床面８１ａに落下して、水抜き孔９１から外部空間に排出される。
【００３４】
ケーブル３０を伝わってグロメット４２から基板収容部屋８２に浸入した雨水は、電気基板２０がグロメット４２よりも上側Ｚ２に配置されているので、電気基板２０に到達することなく、基板収容部屋８２の床面８２ａ（透光板６０の上面）に落下する。しかし、防水部屋８１には、水抜き孔９２が設けられているので、この雨水は、水抜き孔９２から下側Ｚ１に流れ落ち、結局、外側空間に排出される。
【００３５】
また、図１、図４（ａ）に示すように、仮に、照明装置１が屋外看板２に対して、左右方向Ｘ（傾斜方向θ１）に傾斜して装着された場合には、床面８１ａ，８２ａがこの方向に傾斜する。
傾斜方向右側θ１Ｒに傾斜した場合には、床面８１ａに落下した雨水は、水抜き孔９１から排出されずに、防水部屋８１の床面８１ａの右側Ｘ２に溜まろうとする。しかし、この雨水は、連通孔９３を通って基板収容部屋８２に移動して、結局、基板収容部屋８２の右下に配置された水抜き孔９２から排出される。
同様に、傾斜方向左側θ１Ｌに傾斜した場合には、床面８２ａに落下した雨水は、防水部屋８１に移動して、左下に配置された水抜き孔９１から排出される。
【００３６】
これとは異なり、奥行方向Ｙ（図１に示す傾斜方向θ２参照）に傾斜した場合には、防水部屋８１の床面８１ａ及び基板収容部屋８２の床面８２ａに溜まろうとした雨水は、傾斜方向下側（手前側Ｙ１及び奥側Ｙ２）に移動する。しかし、図２に示すように、水抜き孔９１，９２が手前側Ｙ１及び奥側Ｙ２にそれぞれ１組みずつ設けられているので、この雨水は、傾斜方向下側の水抜き孔９１，９２から、外部空間に排出される。
【００３７】
このように、照明装置１は、グロメット４１及びケーブル３０の隙間から雨水が浸入しても、この雨水が電気基板２０に到達することがなく、屋外での防水性能を十分に果たすことができる。
なお、本実施形態の照明装置１は、散水量２０ｍｍ／ｍ２で５分間、シャワーヘッドを用いて上側Ｚ２からの散水試験を行い、電気基板２０に水滴の付着がないことを確認済みである。
【００３８】
また、電気基板２０を防水加工すれば、万が一、電気基板２０に雨水が付着した場合、夜露等により水滴が付着した場合等であっても、これにともなう故障等を防止できる。
【００３９】
以上説明したように、本実施形態の照明装置１は、防水部屋８１及び基板収容部屋８２に雨水が浸入しても、水抜き孔９１，９２から排出できるので、防水性を向上できる。また、防水用の特別な部品、加工等が必要ないので、低コストで製造できる。
また、照明装置１は、水抜き孔９１，９２を構成する溝部７３ａ，７３ｂを、フレーム１０を射出成型等により製造することにより形成できるので、穴あけ加工等の後加工が必要ないため、より一層低コストで製造できる。
【００４０】
（第２実施形態）
次に、本考案を適用した照明装置２０１の第２実施形態について説明する。
なお、以下の説明及び図面において、前述した第１実施形態と同様の機能を果たす部分には、同一の符号又は末尾に同一の符号を付して、重複する説明を適宜省略する。
図５は、第２実施形態の照明装置２０１の下面図である（図２に相当する図）。
図６は、第２実施形態の照明装置２０１の断面図（図５のVI−VI部矢視断面図）である（図３に相当する図）。
図７は、第２実施形態の照明装置２０１の断面図、キャップの部品図である。
図７（ａ）は、図５のＡ−Ａ部矢視断面図である（図４（ａ）に相当する図）。
図７（ｂ）は、図５に示すキャップ７０ＡのＢ部矢視図である（図４（ｂ）に相当する図）。
図５、図６に示すように、照明装置２０１は、ほぼ左右対称の構造であり、防水部屋２８１Ａ，２８１Ｂが基板収容部屋２８２の左側Ｘ１及び右側Ｘ２にそれぞれ設けられているので、主に左側Ｘ１の構成について説明し、右側Ｘ２の構成の説明を適宜省略する。
【００４１】
図６に示すように、フレーム２１０は、防水部屋２８１Ａの床面２８１ａが、内側（右側Ｘ２）に至る程下側Ｚ１に向かうように傾斜している。また、フレーム２１０は、ブラケット２５０を上面に装着できるようになっている。このため、照明装置２０１は、屋外構造物２０２の天井の梁２０２ａ等に装着できる。
ケーブル２３０は、基板収容部屋２８２から防水部屋２８１Ａへのみに通されており、フレーム２１０の上側Ｚ２の外部孔２１８に設けられたグロメット２４１から外部空間に導かれている。なお、フレーム２１０の外部孔２１８を、右側Ｘ２の防水部屋２８１Ｂ側に設けて、ケーブル２３０を基板収容部屋２８２から防水部屋２８１Ｂに通してもよい。防水部屋２８１Ａ，２８１Ｂのいずれの部屋にケーブル２３０を通すかは、ＡＣコンセントの位置等によって、設置者が適宜選択すればよい。
【００４２】
図７に示すように、キャップ２７０Ａの溝部２７３ａ，２７３ｂは、防水部屋２８１Ａ，２８１Ｂ及び基板収容部屋２８２をつなぎ、かつ下側Ｚ１に抜けるようになっている。
そして、キャップ２７０Ａがフレーム２１０に装着された状態では、溝部２７３ａ，２７３ｂにより、隔壁２１４Ａ，隔壁２１４Ｂをまたぐように水抜き孔２９１，２９２が形成される。
なお、キャップ２７０Ａには、第１実施形態と同様に、ノックアウト部２７４が設けられているので、丸孔を設けて、ケーブル２３０を奥行方向Ｙから外部空間に通すように配置してもよい。この場合には、フレーム２１０に外部孔２１８を設ける必要はない。
【００４３】
次に、照明装置２０１の防水機能について説明する。
図６に示すように、照明装置２０１は、主な雨水の浸入経路であるグロメット２４１及びケーブル２３０の隙間から防水部屋２８１Ａに浸入しても、図７に示すように、防水部屋２８１Ａの床面２８１ａを傾斜に沿って移動し、水抜き孔２９１から排出するようになっている。
また、雨水がケーブル２３０を伝わって基板収容部屋２８２にしても、第１実施形態と同様に、水抜き孔２９１，２９２から排出できる。
【００４４】
なお、照明装置２０１が左側Ｘ１及び右側Ｘ２のいずれに傾斜して設置されても、床面２８１ａの右下への傾斜が確保される傾斜であれば、床面２８１ａに落下した雨水は、防水部屋２８１Ａの右下の隅に配置された水抜き孔２９２から排出される。
また、照明装置２０１が左側Ｘ１及び右側Ｘ２のいずれに傾斜して設置されても、床面２８２ａに落下した雨水は、基板収容部屋２８２の左下及び右下に配置された水抜き孔２９１，２９２のいずれかから排出される。
【００４５】
以上説明したように、本実施形態の照明装置２０１は、防水部屋及び基板収容部屋２８２に雨水が浸入しても、第１実施形態と同様に防水性を向上等できる。
【００４６】
以上、本考案の実施形態について説明したが、本考案は前述した実施形態に限定されるものではなく、種々の変形や変更が可能であって、それらも本考案の技術的範囲内である。また、実施形態に記載した効果は、本考案から生じる最も好適な効果を列挙したに過ぎず、本考案による効果は、実施形態に記載したものに限定されない。なお、前述した実施形態は、適宜組み合わせて用いることもできる。
【００４７】
（１）例えば、第１実施形態において、ケーブルを奥行方向から外側空間に配置する例を示したが、これに限定されず、例えば、第２実施形態と同様に、フレームの上側に丸孔を設け、ここから外側空間に配置してもよい。
【００４８】
（２）例えば、第１実施形態において、防水部屋の床面は水平である例を示したが、これに限定されず、例えば、第２実施形態と同様に、床面を傾斜させて、水抜き孔を傾斜方向下側の隅に設けてもよい。
【符号の説明】
【００４９】
１，２０１…照明装置    ２…屋外看板    １０，２１０…フレーム    １１，２１１Ａ，２１１Ｂ…防水空間    １２，２１２…基板収容空間    １４，２１４Ａ，２１４Ｂ…隔壁    １４ａ，２１４ａ…隔壁孔    ２０，２２０…電気基板    ３０，２３０…ケーブル    ４１，４２，２４１，２４２…グロメット    ５０，２５０…ブラケット    ６０，２６０…透光板    ７０Ａ，７０Ｂ…キャップ    ７０ａ，７０ｂ，７０ｃ，２７０ａ，２７０ｂ…溝部    ８１，８１Ａ，２８１Ｂ…防水部屋    ８２，２８２…基板収容部屋    ９１，９２，２９１，２９２…水抜き孔    ２０２…屋外構造物    ２１８…外部孔
【図１】
0003162304.tif 000003
【図２】
0003162304.tif 000004
【図３】
0003162304.tif 000005
【図４】
0003162304.tif 000006
【図５】
0003162304.tif 000007
【図６】
0003162304.tif 000008
【図７】
0003162304.tif 000009